【手続補正書】
【提出日】平成25年5月9日(2013.5.9)
【手続補正１】
【補正対象書類名】特許請求の範囲
【補正対象項目名】全文
【補正方法】変更
【補正の内容】
【特許請求の範囲】
【請求項１】
中継強化型アクセスネットワークの少なくとも１つの中継ノードに関連する少なくとも１つの信号メッセージを、少なくとも１つの所定の信号インターフェイスを介して受け取るステップと、
前記少なくとも１つの信号メッセージから、それぞれの中継ノードに関連する信号を無関係性及び／又は冗長性に関して集中化するステップと、
前記集中化した信号を信号メッセージに含め、前記少なくとも１つの所定の信号インターフェイスを介して前記それぞれの中継ノードへ向けて送信するステップと、
を含むことを特徴とする方法。
【請求項２】
前記集中化ステップが、
前記受け取った少なくとも１つの信号メッセージの信号のタイプを判定するステップと、
前記中継強化型アクセスネットワークの中継ノードから、前記判定した信号のタイプの関連する及び／又は非冗長な信号情報を収集するステップと、
前記収集した信号情報を前記信号メッセージに集約して転送するステップと、
を含むことを特徴とする請求項１に記載の方法。
【請求項３】
共通のドナー基地局により制御される中継ノードからの信号メッセージの受け取り、及び／又はこれらの中継ノードへの信号メッセージの転送を同期させるステップをさらに含む、
ことを特徴とする請求項１及び２のいずれか１項に記載の方法。
【請求項４】
前記信号のタイプが、前記中継強化型アクセスネットワーク内のユーザ装置のモビリティに関連すると判定された場合、前記収集され集約される信号情報が、前記ユーザ装置の前記モビリティが向かう中継ノードの関連する及び／又は非冗長なアドレス情報を含むことができる、
ことを特徴とする請求項２及び３のいずれか１項に記載の方法。
【請求項５】
前記信号のタイプが、負荷バランシング及び／又は干渉制御に関連すると判定された場合、前記収集され集約される信号情報が、関連する及び／又は非冗長な負荷情報、及び／又は前記中継強化型アクセスネットワークの中継ノード間のリソース分割についての関連する及び／又は非冗長な情報、及び／又は前記中継強化型アクセスネットワークの中継ノードにおける干渉レベルについての関連する及び／又は非冗長な情報を含むことができる、
ことを特徴とする請求項２から４のいずれか１項に記載の方法。
【請求項６】
前記集約ステップが、異なる中継ノードから収集された関連する及び／又は非冗長な信号情報に、それぞれの中継ノードからの前記信号情報が前記負荷バランシング及び／又は干渉制御に与える影響に従う重み付け係数によって重み付けすることを含む、
ことを特徴とする請求項５に記載の方法。
【請求項７】
前記中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるステップをさらに含む、
ことを特徴とする請求項６に記載の方法。
【請求項８】
前記方法が、前記少なくとも１つの中継ノードを制御するドナー基地局、前記少なくとも１つの中継ノードを制御していない非ドナー基地局、及び／又は前記少なくとも１つの中継ノードの中継ノードゲートウェイにおいて又はこれらによって実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
前記少なくとも１つの所定の信号インターフェイスが、ＬＴＥ及び／又はＬＴＥ−Ａｄｖａｎｃｅｄ仕様によるＸ２インターフェイスであり、前記Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる、
ことを特徴とする請求項１から７のいずれか１項に記載の方法。
【請求項９】
中継強化型アクセスネットワークの少なくとも１つの中継ノードに関連する少なくとも１つの信号メッセージを、少なくとも１つの所定の信号インターフェイスを介して受け取るように構成された受信機と、
前記少なくとも１つの信号メッセージから、それぞれの中継ノードに関連する信号を無関係性及び／又は冗長性に関して集中化するように構成されたコンセントレータプロセッサと、
前記集中化した信号を信号メッセージに含め、前記少なくとも１つの所定の信号インターフェイスを介して前記それぞれの中継ノードへ向けて送信するように構成された送信機と、
を備えることを特徴とする装置。
【請求項１０】
前記コンセントレータプロセッサが、
前記受け取った少なくとも１つの信号メッセージの信号のタイプを判定し、
前記中継強化型アクセスネットワークの中継ノードから、前記判定した信号のタイプの関連する及び／又は非冗長な信号情報を収集し、
前記収集した信号情報を前記信号メッセージに集約して転送する、
ように構成されることを特徴とする請求項９に記載の装置。
【請求項１１】
共通のドナー基地局により制御される中継ノードからの信号メッセージの受け取り、及び／又はこれらの中継ノードへの信号メッセージの転送を同期させるように構成されたシンクロナイザプロセッサをさらに備える、
ことを特徴とする請求項９及び１０のいずれか１項に記載の装置。
【請求項１２】
前記信号のタイプが、前記中継強化型アクセスネットワーク内のユーザ装置のモビリティに関連すると判定された場合、前記収集され集約される信号情報が、前記ユーザ装置の前記モビリティが向かう中継ノードの関連する及び／又は非冗長なアドレス情報を含むことができる、
ことを特徴とする請求項１０及び１１のいずれか１項に記載の装置。
【請求項１３】
前記信号のタイプが、負荷バランシング及び／又は干渉制御に関連すると判定された場合、前記収集され集約される信号情報が、関連する及び／又は非冗長な負荷情報、及び／又は前記中継強化型アクセスネットワークの中継ノード間のリソース分割についての関連する及び／又は非冗長な情報、及び／又は前記中継強化型アクセスネットワークの中継ノードにおける干渉レベルについての関連する及び／又は非冗長な情報を含むことができる、
ことを特徴とする請求項１０から１２のいずれか１項に記載の装置。
【請求項１４】
前記集約が、異なる中継ノードから収集された関連する及び／又は非冗長な信号情報に、それぞれの中継ノードからの前記信号情報が前記負荷バランシング及び／又は干渉制御に与える影響に従う重み付け係数によって重み付けすることを含む、
ことを特徴とする請求項１３に記載の装置。
【請求項１５】
前記コンセントレータプロセッサが、前記中継強化型アクセスネットワークの基地局間で重み付け係数を交換するステップ、及び／又は自動近隣関係に従い、負荷情報及び／又はリソース分割及び／又は干渉レベルに基づいて適切な重み付け係数を割り当てるようにさらに構成される、
ことを特徴とする請求項１４に記載の装置。
【請求項１６】
前記装置が、前記少なくとも１つの中継ノードを制御するドナー基地局、前記少なくとも１つの中継ノードを制御していない非ドナー基地局、及び／又は前記少なくとも１つの中継ノードの中継ノードゲートウェイとして又はこれらにおいて実施可能であり、前記ドナー基地局、非ドナー基地局、及び／又は中継ノードゲートウェイは、ＬＴＥ及び／又はＬＴＥ−Ａｄｖａｎｃｅｄ仕様による進化型無線アクセスネットワークの一部であることができ、及び／又は、
前記少なくとも１つの所定の信号インターフェイスが、ＬＴＥ及び／又はＬＴＥ−Ａｄｖａｎｃｅｄ仕様によるＸ２インターフェイスであり、前記Ｘ２インターフェイスのピアが、前記ドナー基地局、非ドナー基地局、及び／又は中継ノードゲートウェイ、前記少なくとも１つの中継ノード、及び／又は前記少なくとも１つの中継ノードの１又はそれ以上の近隣中継ノードを含むことができる、
ことを特徴とする請求項９から１５のいずれか１項に記載の装置。
【請求項１７】
装置のプロセッサ上で実行されたときに、請求項１から８のいずれか１項に記載の方法を実行するように設定されたソフトウェアコード部分を有するプログラムを含む、
ことを特徴とするコンピュータプログラム製品。
【請求項１８】
前記コンピュータプログラム製品が、前記ソフトウェアコード部分を記憶するコンピュータ可読媒体を含み、及び／又は前記プログラムが、前記プロセッサの内部メモリに直接ロード可能である、
ことを特徴とする請求項１７に記載のコンピュータプログラム製品。